(57)【要約】【課題】  締結後ネジに設けたストッパーを締結体又は回転しない座金に係合させて、完全なネジの緩み止めを得ることができ、その上、ネジの締め忘れを目で見て容易に確認できる緩み止め付きネジを得ること。【解決手段】  頭部１ａとネジ部１ｂとを備えたネジ１の頭部１ａに、締結時には締結治具よる締結を許し、締結後には曲げることにより締結物１１に係合してネジの緩み止め機能を発揮する所定長さの円筒状ストッパー１ｄを一体的に突設した。【選択図】  図２
0003117868.tif 000002
【実用新案登録請求の範囲】
【請求項１】
頭部とネジ部とを備えたネジの頭部に、締結時には締結治具よる締結を許し、締結後には曲げることにより締結物又は回転しない座金の係合部に係合してネジの緩み止め機能を発揮する所定長さのストッパーを一体的に突設したことを特徴とする緩み止め付きネジ。
【請求項２】
ストッパーが頭部の外側部から上方に突出する円筒体からなることを特徴とする請求項１に記載の緩み止め付きネジ。
【請求項３】
ストッパーが頭部の外側部から上方に突出する１個又は複数個の杵状体からなることを特徴とする請求項１に記載の緩み止め付きネジ。
【請求項４】
ストッパーが頭部の外側部から半径方向外方に突出する鍔状体からなり、鍔状体の上面に多数の曲げ用割り溝が形成されていることを特徴とする請求項１に記載の緩み止め付きネジ。
【請求項５】
ストッパーが頭部の外側部から半径方向外方に突出する多数の花びら形状の突出片からなることを特徴とする請求項１に記載の緩み止め付きネジ。
【請求項６】
ネジ部への挿入孔を有する角座金を備えると共に、該角座金の上面一角にストッパーと係合する係合部を、また裏面に回り止め用の凸起を複数設けたことを特徴とする請求項２又は請求項３又は請求項４又は請求項５に記載の緩み止め付きネジ。
【考案の詳細な説明】
【技術分野】
【０００１】  本考案は、頭部と頭部下面から下方に延びるネジ部とを備えた緩み止め付きネジに関する。
【背景技術】
【０００２】  従来、この種のネジとしては、頭部と頭部下面から下方に延びるネジ部とを備えた構成となっている。そして、ネジの締結時、頭部下面を締結物に押し付け、その圧接抵抗だけで緩み止めを行う構造となっている。
【考案の開示】
【考案が解決しようとする課題】
【０００３】  ところで、上記したネジように、頭部下面の締結物への単なる押し付けによる緩み防止構造では、振動や何らかの外力がかかった場合に緩みが発生し易いものであった。また、ネジの締め忘れや緩みが発生したときに、これを目で見て容易に確認することができない問題を有していた。
特に、近年の配電盤においては、数百個の配線の端子がネジにて締結されており、その際、ネジの締め忘れや緩みで端子不良を１〜２個発生させても高価な設備が停止するといった大きな問題があった。【０００４】  そこで、本考案は、締結後ネジに設けたストッパーを締結体又は座金に係合させて、完全なネジの緩み止めを得ることができ、その上、ネジの締め忘れを目で見て容易に確認できる緩み止め付きネジの提供を課題とする。
【課題を解決するための手段】
【０００５】  上記した問題を解決するために、本願の請求項１に記載の考案は、頭部とネジ部とを備えたネジの頭部に、締結時には締結治具よる締結を許し、締結後には曲げることにより締結物又は回転しない座金の係合部に係合してネジの緩み止め機能を発揮する所定長さのストッパーを一体的に突設したことを特徴とする。【０００６】  また、本願の請求項２に記載の考案は、請求項１におけるストッパーが頭部の外側部から上方に突出する円筒体からなることを特徴とする。【０００７】  また、本願の請求項３に記載の考案は、請求項１におけるストッパーが頭部の外側部から上方に突出する１個又は複数個の杆状体からなることを特徴とする。【０００８】  また、本願の請求項４に記載の考案は、請求項１におけるストッパーが頭部の外側部から半径方向外方に突出する鍔体からなり、鍔体の上面に多数の曲げ用割り溝を形成したことを特徴とする。【０００９】  また、本願の請求項５に記載の考案は、請求項１におけるストッパーが頭部の外側部から半径方向外方に突出する多数の花びら形状の突出片からなることを特徴とする。【００１０】  さらに、本願の請求項６に記載の考案は、請求項１又は請求項２又は請求項３又は請求項４又は請求項５の構成に加えて、ネジ部への挿入孔を有する角座金を備えると共に、該角座金の上面一角にストッパーと係合する係合部を、また裏面に回り止め用の凸起を複数設けたことを特徴とする。
【考案の効果】
【００１１】  本考案による緩み止め付きネジによれば、ネジの頭部に、締結時には締結治具よる締結を許し、締結後には曲げることにより締結物又は回転しない座金の係合部に係合してネジの緩み止め機能を発揮する所定長さのストッパーを一体的に突設したから、締結後ストッパーを曲げて締結体又は回転しない座金の係合部に係合させることができ、これにより確実なネジの緩み止めを得ることができる。その上、ストッパーの締結体又は座金の係合部への係合の有無及び係合状態を確認することによりネジの締め忘れを目視により容易に確認することができる。【００１２】  また、ネジ部への挿入孔を有する角座金を備えると共に、該角座金の上面一角にストッパーと係合する係合部を、また裏面に回り止め用の凸起を複数設けるようにすれば、頭部の下面に角座金を装着した状態でネジを締結物に締結することにより、角座金の裏面の凸起が締結物に係止して締結物に対する角座金の回転を阻止できる。これにより、締結後ストッパーを曲げて回転しない角座金の係合部に係合させれば、完全なネジの緩み止めを得ることができる。
【考案を実施するための最良の形態】
【００１３】  以下、本考案の実施の形態を図に基づいて説明する。
図１、２は、本考案を配電盤の配線における端子締結用ネジに適用したものを示し、このネジ１は断面円形状の頭部１ａと該頭部１ａの下面から下方に延びるネジ部１ｂとを備えている。そして、頭部１ａの上部中央にはドライバーの差込穴１ｃを有すると共に、頭部１ａの下部から半径方向に外方に延びる連続部を介して頭部１ａよりも上方へ立ち上がる円筒状のストッパー１ｄを一体に設けたものである。なお、円筒状のストッパー１ｄは、図１、２に示すように頭部１ａの下部側方から上方に立ち上がる他、後述する図９に示すように頭部１ａの上面外周部から上方に立ち上がるように構成してもよい。【００１４】  また、図３は、配電盤の配線における端子締結用ネジの別の実施の形態を示すもので、このネジ２は断面円形状の頭部２ａと該頭部２ａの下面から下方に延びるネジ部２ｂとを備える一方、頭部２ａの上部中央にドライバーの差込穴２ｃを有すると共に、断面円形状の頭部２ａの上面外側部分から上方に立ち上がる複数本（図では２本）の杆状のストッパー２ｄを一体に突設したものである。なお、図中、符号１５は後述する係合突起１５ｂをもつ角座金である。【００１５】  図４、５は、同じく配電盤１０の配線Ｓにおける端子締結用ネジの別の実施の形態を示すもので、このネジ３はネジとストッパーとを別部材により形成したもので、断面円形状の頭部３ａと該頭部３ａの下面から下方に延びるネジ部３ｂとを備える一方、頭部３ａの上部中央にドライバーの差込穴３ｃを有すると共に、断面円形状の頭部の外側部に複数（図では２個）の溝３ｅを設ける一方、この溝３ｅに挿入可能な銅又はアルミ線からなる棒状のストッパー３ｄを形成して、該ストッパー３ｄを上記溝ｅに挿入したうえで半田づけにより固定したものである。【００１６】  図６は配電盤１０に配線Ｓの端子ｓを締結した状態を示すもので、配電盤１０は回り止め用の区画壁１１…１１により多数の端子締結用の区画室１２…１２が形成されていると共に、その中央にネジ孔１３…１３が形成されている。【００１７】  図７は区画壁１２内に挿入されて回り止めされる角座金１４を示し、その中央にはネジ挿通孔１４ａを有している。基本的には角座金１４の大きさが区画室１２とほぼ同じで角座金１４の区画室１２内への挿入により、周囲の区画壁１１により回り止めされる。また、図８は別の角座金１５で、上述した角座金１４と同様にネジ挿通孔１５ａをもつ角座金１５の角部の１箇所に係合突起１５ｂを突設したものである。なお、実施の形態では係合突起１５ｂを角座金１４の角部の１箇所に設けたものについて説明したけれども、この係合突起１５ｂは角座金１５における角部の複数箇所或いはすべてに設けてもよい。【００１８】  次に、上記した各端子締結用ネジの作用について説明する。
まず、筒状ストッパー１ｄを備えた端子締結用ネジ１を用いる場合ついて説明する。図６のＡ及び図９に示すように配電盤１０のネジ孔１３に配線Ｓの端子ｓと角座金１４とを位置合わせして重ねた状態のもとで、端子締結用ネジ１のネジ部１ｂを角座金１４の挿通孔１４ａから端子ｓを介してネジ孔１３に差し込み、ネジ締結ドライバー（締結治具）１６を用いて上記ネジ１を締め付け方向に回転させる。これにより、ネジ１のネジ部１ｂをネジ孔１３にネジ込んで角座金１４を介し端子ｓを配電盤１０に締結する。なお、この締結にあたって角座金１４に予めネジ１を差し込んでおき、この状態で配線Ｓの端子ｓを挟みながらネジ１をネジ孔１３にネジ込むようにしてもよいことは勿論である。【００１９】  その後、ネジ１の筒状ストッパー１ｄをたとえば図９に示すネジ締結ドライバー（締結治具）１６に設けられた拡開具１７を下降させて筒状ストッパー１ｄの一箇所あるいは複数箇所を半径方向外方へ開いたり、或いは図６に示すように筒状ストッパー１ｄの一部のみを適宜曲げ治具（図示せず）を用いて区画壁１１に当たるように曲げる。これにより、ネジ１の緩み方向への回転を阻止し、振動などでネジ１が不用意に回ってネジ１が緩むのを防止することができる。その結果、ネジ１の緩みに基づく端子接触不良の発生を確実に防止できる。また、配電盤１０の各区画室１２への端子ｓの締結後、ストッパー１ｄの開きの有無を目視することによりネジ１の締め忘れを目視により容易に確認することができる。特に、数百個の配線の端子がネジにて締結され、端子不良を１〜２個発生させても高価な設備が停止する配電盤において、ネジ１の締め忘れも目視により迅速容易に確認することができ、従って、ネジの締め忘れや緩みによるトラブルを未然に防止することができる。【００２０】  次に、杆状ストッパーを備えた端子締結用ネジ２を用いる場合ついて説明する。図６のＢに示すように配電盤１０のネジ孔１３にリード線Ｓの端子ｓと角座金１５とを位置合わせして重ねた状態のもとで、端子締結用ネジ２のネジ部２ｂを角座金１５の挿通孔１５ａから端子ｓを介してネジ孔１３に差し込み、ネジ締結ドライバー１６を用いて上記ネジ２を締め付け方向に回転させる。これにより、ネジ２のネジ部２ｂをネジ孔１３にネジ込んで角座金１５を介し端子ｓを配電盤１０に締結する。なお、締結にあたって角座金１５に予めネジ２を差し込んでおき、この状態でリード線Ｓの端子ｓを挟みながらネジ２をネジ孔１３にネジ込むようにしてもよいことは勿論である。【００２１】  その後、ネジ２の杆状ストッパー２ｄを適宜曲げ治具（図示せず）を用いて半径方向外方へ開くように曲げることにより、そのストッパー２ｄの先端部を角座金１５の係合突起１５ｂに当接させる。これにより、ネジ２の緩み方向への回転を阻止し、振動などでネジ１が不用意に回ってネジ２が緩むのを防止することができる。その結果、ネジ２の緩みに基づく端子接触不良の発生を確実に防止できる。また、配電盤１０の各区画室１２への端子ｓの締結後、杆状ストッパー２ｄの開きの有無を目視により検査することによりネジ４の締め忘れを容易かつ迅速に確認することができ、従って、ネジ１の締め忘れによるトラブルも未然に防止することができる。【００２２】  さらに、ネジとは別部材からなる杆状ストッパー３ｄを備えた端子締結用ネジ３を用いる場合についても上記した杆状ストッパー２ｄを備えた端子締結用ネジ２の場合と同様締結及び曲げ作業を行うことにより同様の作用効果が得られる。【００２３】  なお、上記各端子締結用のネジ１、２、３を、配電盤の配線における端子締結に限られることなく通常の締結ネジとしても適用できることは勿論である。【００２４】  さらに、図１０は、本考案を端子締結用のネジではなく通常のネジに適用した別の実施の形態を示すもので、このネジ４は断面円形状の頭部４ａと該頭部４ａの下面から下方に延びるネジ部４ｂとを有すると共に、頭部４ａの上部中央にドライバーの差込穴４ｃを有し、かつ、頭部４ａ下方の外側部に薄肉鍔状のストッパー４ｄを有する一方、図１１に示すように中央にネジ孔１６ａを有すると共に上面のストッパー４ｄと対応する箇所の一部に係合凹部１６ｂを有し、裏面に回り止め用の凸起１６ｃを複数設けてなる角座金１６を備えたものである。【００２５】  使用時には、締結物２０にネジ４を締結することにより、角座金１６の凸起１６ｃが締結物２０に食い込んで角座金１６の回り止めを行う。その締結後、図１０に示すように鍔状のストッパー４ｄの一部を適宜治具（図示せず）により叩いて部分的に曲げて凹ませ、その曲げ先端部を角座金１６の係合凹部１６ｂに係合させることによりネジの緩み止めを行う。これにより、ネジ４の緩み方向への回転を阻止し、振動などでネジ１が不用意に回ってネジ４が緩むのを防止することができる。また、締結後、鍔状ストッパー４ｄの開きの有無を目視により検査することによりネジ４の締め忘れを容易かつ迅速に確認することができ、従って、ネジ４の締め忘れによるトラブルも未然に防止することができる。
なお、この鍔状のストッパー４ｄと、角座金１６を備えたネジ４を上記した配電盤の配線における端子締結に用いてもよいことは勿論である。その場合、角座金１６の凸起１６ｃは特に設けなくてもよい。また、本発明を通常のネジに適用する場合、上記した角座金１６を用いる他、回転しないように凸起１６ｃを有する円形や多角形或いは異形の座金を用いてもよいことは勿論である。【００２６】  また、図１２〜１４は、鍔状のストッパーを備えたネジの別の実施の形態を示すもので、図１２は鍔状のストッパー５ｄの上面に菊模様を呈する多数割り溝５ｅ…５ｅを形成したネジ５である。また、図１３は、鍔状のストッパー６ｄの上面に所定間隔をおいて多数の割り溝６ｅ…６ｅを形成したネジ６である。さらに、図１４は、鍔状のストッパーを花びら状を呈する多数のストッパー７ｄ…７ｄからを形成したネジ７である。なお、上記割り溝５ｅ又は６ｅは、鍔状のストッパー付きネジ５又はネジ６を圧造成形する際、ストッパー５ｄ又は６ｄに割り溝５ｅ又は６ｅを同時に形成すればよいし、また、上記花びら状のストッパー７ｄ…７ｄは、鍔付きのネジ７を圧造成形した後、花びら状にトリミング加工すればよい。【００２７】  そして、使用時には、たとえば図１２に示すように鍔状のストッパー５ｄを適宜治具（図示せず）により叩いて割り溝５ｅを利用して部分的に折り曲げ、その折り曲げ先端部を回転しない角座金１６の係合凹部１６ｂの或いは締結物の係合凹部に係合させることにより緩み止めを行えばよい。これにより上記した鍔状のストッパー４ｄを備えたネジ４の場合と同様の効果が得られる。また、上記割り溝５ｅ、６ｅ或いは多数の花びら状ストッパー７ｄを形成することにより、ストッパーの曲げ作業が楽に、つまり係合凹部への係合が容易に行える。【００２８】  さらに、図１５は、断面６角の係合穴部８ｃを有する頭部８ａと頭部８ａ下面から下方に延びるネジ部８ｂとを備えたボルト８の頭部８ａ上面に多数割り溝８ｅを有する鍔状のストッパー８ｄを形成したものである。この場合、鍔状ストッパー８ｄを備えたネジ８を圧造成形する際、鍔状ストッパー８ｄに割り溝８ｅを同時に形成すればよい。【００２９】  使用時には、図１６に示すようにネジ８の締結物２１への締結後、鍔状のストッパー８ｄを適宜治具（図示せず）により叩いて割り溝８ｅを利用して部分的に折り曲げ、その折り曲げ先端部を締結物２１に形成した係合凹部２１ａに係合させることにより緩み止めを行えばよい。これにより上述した鍔状のストッパー４ｄを備えたネジ４の場合と同様の効果が得られる。その上、割り溝８ｅによりストッパー８ｄの曲げ作業が楽に、つまり係合凹部２１ａへの係合が容易に行える。
【図面の簡単な説明】
【００３０】
【図１】  本考案に係る緩み止め付きネジの斜視図である。
【図２】  同縦断面図である。
【図３】  別の実施の形態を示す斜視図である。
【図４】  さらに別の実施の形態を示す斜視図である。
【図５】  図４の平面図である。
【図６】  配電盤への使用状態を示す説明図である。
【図７】  角座金の斜視図である。
【図８】  別の角座金の斜視図である。
【図９】  配電盤への締結状態を示す縦断面図である。
【図１０】  別の実施の形態を示す一部縦断面図である。
【図１１】  図１０における座金の断面図である。
【図１２】  別の実施の形態を示す一部縦断面図である。
【図１３】  鍔状ストッパーの別の実施の形態を示す説明図である。
【図１４】  さらに鍔状ストッパーの別の実施の形態を示す説明図である。
【図１５】  別の実施の形態を示す斜視図である。
【図１６】  同使用状態を示す要部の縦断面図である。
【符号の説明】
【００３１】１        ネジ
１ａ      頭部
１ｂ      ネジ部
１ｄ      ストッパー
２        ネジ
２ａ      頭部
２ｂ      ネジ部
２ｄ      ストッパー
３        ネジ
３ａ      頭部
３ｂ      ネジ部
３ｄ      ストッパー
４        ネジ
４ａ      頭部
４ｂ      ネジ部
４ｄ      ストッパー
５        ネジ
５ａ      頭部
５ｂ      ネジ部
５ｄ      ストッパー
６        ネジ
６ａ      頭部
６ｂ      ネジ部
６ｄ      ストッパー
７        ネジ
７ａ      頭部
７ｂ      ネジ部
７ｄ      ストッパー
８        ネジ
８ａ      頭部
８ｂ      ネジ部
８ｄ      ストッパー
１１      締結物
１４      角座金
１４ａ    挿入孔
１４ｂ    係合凸起
１５      角座金
１５ａ    挿入孔
１５ｂ    凸起
【図１】
0003117868.tif 000003
【図２】
0003117868.tif 000004
【図３】
0003117868.tif 000005
【図４】
0003117868.tif 000006
【図５】
0003117868.tif 000007
【図６】
0003117868.tif 000008
【図７】
0003117868.tif 000009
【図８】
0003117868.tif 000010
【図９】
0003117868.tif 000011
【図１０】
0003117868.tif 000012
【図１１】
0003117868.tif 000013
【図１２】
0003117868.tif 000014
【図１３】
0003117868.tif 000015
【図１４】
0003117868.tif 000016
【図１５】
0003117868.tif 000017
【図１６】
0003117868.tif 000018